【事件の表示】
　平成　３年特許願第１５５０９８号「Ｘ線ＣＴ装置」拒絶査定に対する審判事件［平成　４年１２月　８日出願公開、特開平　４−３５２９４８］について、次のとおり審決する。
【結　論】
　本件審判の請求は、成り立たない。
【理　由】
１．　本願発明
　本願は、平成３年５月３０日の出願であって、その請求項１に係る発明は、平成１２年８月８日付けの手続補正書により補正された明細書及び図面の記載からみて、その特許請求の範囲に記載された次のとおりのものと認める（以下、「本願発明」という。）。
「【請求項１】天井面に複数本のガイドレールを並列配備し、これらのガイドレールと直交する可動レールを前記ガイドレールに沿って移動可能に取り付け、前記可動レールに沿って移動可能な支持台によってガントリを天井面から吊下げ支持しているＸ線ＣＴ装置であって、前記ガントリは上下移動自在、水平軸心周りに回動自在であり、かつ、前記ガントリを上下移動させて、水平軸心周りに回動傾斜させることにより、そのガントリの傾斜軸を任意姿勢の被検体の体軸に一致させてダイレクトコロナル撮影を可能に構成したことを特徴とするＸ線ＣＴ装置。」
　
２．引用刊行物の記載事項
　これに対して、原査定の拒絶の理由に引用された、本願出願前に頒布された各刊行物には、それぞれ次の事項が記載されている。
（１）刊行物１（特開平１−２８０４４４号公報）
　刊行物１には、Ｘ線ＣＴスキャナ装置が記載されている。
　このＸ線ＣＴスキャナ装置においては、検査室の天井に固定したベース１０の長手方向（図示Ａ方向）に走行可能な走行基台１１が設けられ、走行基台１１に垂下して支持体１２が設けられている。支持体１２は、上下方向（図示Ｂ方向）に伸縮動可能になっている（第１図及び第３図、２頁右下欄１７行〜３頁左上欄５行）。
  支持体１２の下垂端部には回転機構１３が設けられ、この回転機構１３は、図示Ｃ方向に図示のＣ方向にデータ収集に対応する速度にて回動可能になっている。この回転機構の回転軸１３ａには、Ｕ字形状アーム１４が固定され、一方のアーム１４ｂ１の端部には、Ｘ線源１５が固定され、他方のアーム１４ｂ２の端部には円弧状多チャンネルＸ線検出器１６が固定されている（第１図及び第３図、３頁左上欄６行〜１５行）。
　そして、回転軸１３ａ周りの回転は、Ｘ線源１５と円弧状多チャンネルＸ線検出器１６との対向空間に、被検者を配置し且つＵ字形状アーム１４を回転しつつＸ線を曝射して得られる多方向からのＸ線透過データに基づき、Ｘ線源１５と円弧状多チャンネルＸ線検出器１６とのなす面についての再構成画像生成用データ群を得るためのものである（３頁右上欄３行〜１１行）。
　このＸ線ＣＴスキャナ装置による診断手順は、昇降寝台２を降下させ且つ天板を退避させた状態にあって、被検者Ｐを昇降寝台２の天板に乗せ、天板を上昇させ、天板を進ませ、所望の診断部位を本体ガントリに相当する部分接近させる。一方、走行基台１１を駆動して支持体１２、回転機構１３及びＵ字形状アーム１４の全体を被検者Ｐの所望撮影部位に到達させる（第３図、３頁右下欄下から２行〜４頁左上欄８行）。
  従来の本体ガントリ１及び昇降寝台２を検査室の床に設置し、固定位置にある本体ガントリ１に対して専ら被検者Ｐの方を導入する構成となっているものでは、診断には問題がない場合であっても、引続き行われる特殊検査や治療に際しては検査や治療のための器具の配置空間を確保することができなく、また作業空間も確保できない等のスペース的な問題が生じることがあったり、撮影部位が、外部からあまり見通しの利かない本体ガントリ１内に設定され、しかも固定位置にある本体ガントリ１に対して専ら被検者Ｐの方を導入する構成となっているので、撮影部位の位置決めが容易でなく、診断効率の点で問題であったことが記載され（２頁左上欄１４行〜右上欄１２行、第４図）、刊行物１のＸ線ＣＴスキャナ装置によれば、撮影に際して本体ガントリに相当する部分と、被検者Ｐとの双方を接近させ且つ離間させることができるので、特殊検査や治療に際しては検査や治療のための器具の配置空間を確保することができ、また作業空間も確保できる等のスペース的な余裕を生むことができ、また、撮影部位が定まるＸ線源１５と円弧状多チャンネルＸ線検出器１６とを対向させて設けているＵ字形状アーム１４の内部は、外部から見通しが利くので、撮影部位の位置決めは容易であり、診断効率を高めることができるという効果を奏するものであることが記載されている（４頁左上欄２０行〜４頁右上欄１１行）。
　
（２）刊行物２（特開昭５６−４９１３６号公報）
  刊行物２には、循環器系診断に使用されるＸ線撮影装置が記載されている。
  このＸ線撮影装置は、心臓を異なった方向から撮影するものである。
　刊行物２のＸ線撮影装置には、第1図に示されるように、移動ブロック２を備えている。移動ブロック２は、ガイドレール１面に沿って水平移動（図示Ｄ１，Ｄ２方向）できるようになっている。この移動ブロック２の底部に軸受２Ａを介して枢軸２Ｂを垂直回転軸として矢示Ｃ１−Ｃ２方向へ回転自在に二又状支持腕４が取り付けられている。二又状支持腕４に対し水平軸Ｙ１−Ｙ２回り（Ｂ１−Ｂ２方向）に回転可能に外側リング５が配設されており、この外側リング５内に矢示Ａ１−Ａ２方向に回転自在に配置される内側リング１１と、内側リング１１上にＸ線管２１ａと撮像装置（イメージインテンシファイア）２２ａ、及びＸ線管２１ｂと撮像装置２２ｂが対向して設けられている。（第１図、２頁左上欄２行〜１８行）
　この装置を使用する場合には、移動ブロック２をレール１に沿って移動させることによって、装置を所望の位置に配置し、天板９を図示Ｄ１−Ｄ２方向へ移動することによって、天板９上の被検体８を装置の中央部に位置決めし、所望の撮影を行うものである（２頁右下欄７行〜１２行）。
　この装置は、天井に設けられたレールに沿って移動できるので、配置及び退避の操作が容易になることも記載されている。（３頁左上欄１７行〜１８行）
　
（３）刊行物３（特開平２−１８２２３９号公報）
  刊行物３には、天井吊方式のＸ線撮影システムにおいて、特に先端部にＸ線管５が取り付けられた上下方向に伸縮移動可能な支持柱６を保持する保持部７を天井面に沿って移動可能に支持する支持機構を改良したＸ線管支持装置が記載されている（第６図、１頁右下欄４行〜８行）。
　従来のＸ線管支持装置は、長手レールの下に横手レール２を段違いに配設し、保持金具３により長手レール１に対してＬ方向に移動可能に保持させているため支持柱６が収縮したときの全長寸法Ａが大きくなるという問題があった（第４図、第５図、２頁右上欄９行〜１７行）が、刊行物３発明の支持機構は、横手レール１２を長手レール１１に対して同一平面になるように配設し、且つ、横手レール１２に複数個の走行用ローラを前記長手レールを挟持させて取り付ける構成とするもので、この改良により、支持柱６の収縮時における全長寸法Ａは従来の支持機構に比較して横手レール１２の段差分だけ小さくできることが記載されている（２頁右上欄９行〜１７行）。
　
３．本願発明と刊行物１記載の発明との対比・検討
（１）刊行物１に記載された発明との対比
  ここで、本願発明と、刊行物１に記載された発明とを対比する。
  刊行物１に記載の「Ｘ線ＣＴスキャナ装置」の天井に固定した「ベース１０」上を走行可能な「走行基台１１」は、本願発明における「天井面」に「移動可能な支持台」に相当し、この「ベース１０」は「ガイドレール」に相当するものであり、「ガイドレール」を一本設けることが記載されているということができる。しかし、刊行物１には「可動レール」について記載されていない
　また、刊行物１に記載の「Ｘ線ＣＴスキャナ装置」は、移動可能な支持台によって「撮像部」を天井面から吊下げ支持しているＸ線ＣＴ装置に相当する。
  刊行物１記載の「Ｘ線ＣＴスキャナ装置」の「撮像部」は、刊行物１の第１図のＢ方向に伸縮可能であり、上下移動自在であるということができる。
  刊行物１の第１図の回転軸１３ａは水平な軸ではあるが、Ｘ線源１５と円弧状多チャンネルＸ線検出器１６とのなす面内でそれらを回転させるものであって、該面自体を「水平軸心周りに回動自在」にするものでない。
　
（２）一致点・相違点
　そうすると、本願発明は、刊行物１に記載された発明と、
「天井面にレール状部材を用いた移動案内機構を設け、それに沿って移動可能な支持台によってＸ線管とＸ線検出器を備えた撮像部を天井面から吊り下げ支持しているＸ線ＣＴ装置であって、前記撮像部は上下移動自在であるＸ線ＣＴ装置」である点で一致するが、次の点で相違する。
＜相違点１＞
　天井面に設けられたレール状部材を用いたＸ線ＣＴ装置の支持台の移動案内機構が、前者では、「天井面に複数本のガイドレールを並列配備し、これらのガイドレールと直交する可動レールを前記ガイドレールに沿って移動可能に取り付け」るものであり、「支持台」を「可動レール」に沿って移動可能とするものであるのに対し、後者では、「ガイドレール」を複数本設けること、及び、「可動レール」を設けること、について記載されていない点。
＜相違点２＞
　Ｘ線ＣＴ装置のＸ線源とＸ線検出器を備えた撮像部が、前者では「ガントリ」であって、前記ガントリは「水平軸心周りに回動自在」、すなわちそのＸ線源とＸ線検出器とのなす面を「水平軸心周りに回動自在」であり、かつ、「水平軸心周りに回動傾斜」させることにより、そのガントリの傾斜軸を任意姿勢の被検体の体軸に一致させて「ダイレクトコロナル撮影」を可能に構成したものであるのに対し、後者では、撮像部が水平回転軸に固定されたＵ字形状アームの一方のアーム端部にはＸ線源が、他方のアーム端部には円弧状多チャンネルＸ線検出器が固定されているものであって、そのＸ線源とＸ線検出器とのなす面を「水平軸心周りに回動自在」とするものでなく、ダイレクトコロナル撮影を可能にすることについても記載されていない点。
　
（３）  相違点についての検討
  そこで、これらの相違点について検討する。
（３−１）相違点１について
  刊行物３には、天井吊方式のＸ線撮影システムが記載されており、その「保持部７」は、天井面に沿って移動可能に取り付けられた「支持台」ということができるものである。そして、従来技術として、天井面に複数本のガイドレールを並列配備し、これらのガイドレールと直交する可動レールを前記ガイドレールに沿って移動可能に取り付け、前記「保持部７」を前記可動レールに沿って移動可能に設けた移動案内機構が記載されている。
　そうすると、天井面に設けられたレール状部材を用いたＸ線ＣＴ装置の支持台の移動案内機構として、刊行物１記載の天井面に配備されガイドレールとして機能している１本の「ベース１０」に沿ってＸ線ＣＴ装置の支持台を移動案内する機構に変えて、刊行物３に記載の、天井面に複数本のガイドレールを並列配備し、これらのガイドレールと直交する可動レールを前記ガイドレールに沿って移動可能に取り付けて、「支持台」を「可動レール」に沿って移動可能とする構成を採用することは、当業者が適宜に設計変更できる事項にすぎない。
　
（３−２）相違点２について
　ガントリは、刊行物１の従来技術にも記載の如く、Ｘ線ＣＴ装置では慣用の撮像部である。
　また、Ｘ線ＣＴ装置においては、被検体の体軸に対して直角方向に撮影してＸ線ＣＴ画像を得ることと共に、被検体の体軸と平行な方向に撮影するダイレクトコロナル撮影を行うことも、特に頭部のＸ線ＣＴ画像を得るために、本願出願前から一般的に要請されていた技術課題である。
　そして、被検体の体軸と平行な方向に撮影するダイレクトコロナル撮影を行うためには、被検体の体軸とＸ線ＣＴ装置の撮像部のＸ線源とＸ線検出器とのなす面を平行な関係に置かなければならない以上、ガントリを備えたＸ線ＣＴ装置おいては、実際にはガントリの傾斜角度と被検体、例えば頭部など、をどれだけ傾けられるかによって平行な位置関係をとり得るか否か、撮影の可否が決まるものであることから、ガントリの傾斜角度を大きくとれればとれるほど、被検体のとるべき角度の負担は少なくできることは、ダイレクトコロナル撮影についてのＸ線ＣＴ撮影技術の常識的事項である（必要ならば、例えば特開昭５６−１４８３４０号公報等参照）。
　一方、Ｘ線撮像装置において、通常の開口面軸線が水平方向であるガントリと同様の、Ｘ線管とＸ線検出手段を備え中央に被検体を配置する開口部を有するドーナツ状撮像部が、天井面から吊り下げ支持する場合には、任意にドーナツ状撮像部を回動傾斜できることも、刊行物２に記載されている公知の構造である。
　そうすると、Ｘ線ＣＴ装置を床面に固定設置しないで天井吊方式とすることで、引続き行われる特殊検査や治療のための器具の配置空間や作業空間を確保できる等のスペース的問題を解決し、撮影部位の位置決めにあたり、撮像部を被検体の方へ移動でき、撮影部位の位置決めが床面固定方式よりも容易化されている刊行物１に記載されたＸ線ＣＴ装置についても、撮像部のＸ線源とＸ線検出器とのなす面を傾斜できないＵ字形状撮像部から、ダイレクトコロナル撮影も可能なように、刊行物２に記載のＸ線撮像部と同様のドーナツ状である通常のガントリに変更し、ガントリを上下移動自在だけでなく、水平軸心周りに回動自在にもさせ、かつ、この回動によりガントリの傾斜軸を任意姿勢の被検体の体軸に一致させることができるように構成することは、当業者が必要に応じ、容易に設計できる範囲内の事項である。
　　
４．　むすび
　したがって、本願発明は、引用刊行物１〜３に記載された発明に基づいて当業者が容易に発明をすることができたものであるので、特許法第２９条第２項の規定により、特許を受けることができない。
　よって、結論のとおり審決する。